(57)【要約】【課題】携帯端末を用いて簡便に注文情報を作成することが可能な注文情報作成置等を提供する。【解決手段】携帯端末は、利用者の操作に応じて、カタログ紙面Ｐ上の所定の商品情報が掲載された領域Ｗを撮影し、撮影画像を表示部３１に表示させる。次に、携帯端末は、撮影画像中における識別コード（図２の例では、「００１４」と「００１６」）の位置を認識し、撮影画像上に、識別コードの位置を認識したことを示す情報（認識マーク）Ａ１、Ａ２を表示させる。携帯端末は、利用者により、所定の認識マークが選択されると、その認識マーク内の識別コードをＯＣＲ処理し、識別コードが持つ商品ＩＤを認識し、注文情報として記憶する。【選択図】図２
2014056504.tif 000002
【特許請求の範囲】
【請求項１】
カタログ紙面上を撮影する撮影手段と、
前記撮影手段により撮影された画像の表示を制御する第１の表示制御手段と、
前記第１の表示制御手段により表示された撮影画像中における識別コードの位置を認識する位置認識手段と、
前記認識手段により前記識別コードの位置を認識したことを示す情報の表示を制御する第２の表示制御手段と、
前記識別コードの位置を認識したことを示す情報が選択された場合、前記識別コードを文字認識する文字認識手段と、
前記文字認識手段により認識された前記識別コードを記憶する記憶手段と、
を具備することを特徴とする注文情報作成装置。
【請求項２】
前記記憶手段に前記識別コードが記憶された場合、記憶されたことを示すメッセージの表示を制御する第３の表示制御手段をさらに具備する
ことを特徴とする請求項１に記載の注文情報作成装置。
【請求項３】
カタログ紙面上を撮影する撮影ステップと、
前記撮影手段により撮影された画像の表示を制御する第１の表示制御ステップと、
前記第１の表示制御ステップにより表示された撮影画像中における識別コードの位置を認識する位置認識ステップと、
前記認識ステップにより前記識別コードの位置を認識したことを示す情報の表示を制御する第２の表示制御ステップと、
前記識別コードの位置を認識したことを示す情報が選択された場合、前記識別コードを文字認識する文字認識ステップと、
前記文字認識ステップにより認識された前記識別コードを記憶する記憶ステップと、
含むことを特徴とする注文情報作成方法。
【請求項４】
コンピュータを、
カタログ紙面上を撮影する撮影手段と、
前記撮影手段により撮影された画像の表示を制御する第１の表示制御手段と、
前記第１の表示制御手段により表示された撮影画像中における識別コードの位置を認識する位置認識手段と、
前記認識手段により前記識別コードの位置を認識したことを示す情報の表示を制御する第２の表示制御手段と、
前記識別コードの位置を認識したことを示す情報が選択された場合、前記識別コードを文字認識する文字認識手段と、
前記文字認識手段により認識された前記識別コードを記憶する記憶手段と、
を具備する注文情報作成装置として機能させるプログラム。
【請求項５】
携帯端末とサーバがネットワークを介して接続される注文情報作成システムであって、
前記携帯端末が、
カタログ紙面上を撮影する撮影手段と、
前記撮影手段により撮影された画像の表示を制御する第１の表示制御手段と、
前記第１の表示制御手段により表示された撮影画像中における識別コードの位置を認識する位置認識手段と、
前記認識手段により前記識別コードの位置を認識したことを示す情報の表示を制御する第２の表示制御手段と、
前記識別コードの位置を認識したことを示す情報が選択された場合、前記識別コードを文字認識する文字認識手段と、
前記文字認識手段により認識された前記識別コードを、ネットワークを介して前記サーバに送信する送信手段と、
を具備し、
前記サーバが、
前記携帯端末から送信されてきた前記識別コードを記憶する記憶手段と、
を具備することを特徴とする注文情報作成システム。
【請求項６】
携帯端末とサーバがネットワークを介して接続される注文情報作成システムで行われる注文情報作成方法であって、
前記携帯端末が、
カタログ紙面上を撮影する撮影ステップと、
前記撮影ステップにより撮影された画像の表示を制御する第１の表示制御ステップと、
前記第１の表示制御ステップにより表示された撮影画像中における識別コードの位置を認識する位置認識ステップと、
前記認識ステップにより前記識別コードの位置を認識したことを示す情報の表示を制御する第２の表示制御ステップと、
前記識別コードの位置を認識したことを示す情報が選択された場合、前記識別コードを文字認識する文字認識ステップと、
前記文字認識ステップにより認識された前記識別コードを、ネットワークを介して前記サーバに送信する送信ステップと、
を含み、
前記サーバが、
前記携帯端末から送信されてきた前記識別コードを記憶する記憶方法と、
を含むことを特徴とする注文情報作成方法。
【発明の詳細な説明】
【技術分野】
【０００１】
本発明は、カタログ等に掲載された商品を注文するための注文情報を作成する注文情報作成装置等に関するものである。
【背景技術】
【０００２】
従来、カタログは、様々な業種において、ユーザの購買を促進するために多く用いられている
【０００３】
例えば、生活協同組合（いわゆる生協）では、会員に対して翌週分のカタログとマークシート方式の注文用紙を配布し、このカタログに付されている商品コードをマークシートに記述させるものである。
【０００４】
生協のカタログは、複数枚で構成されており、各カタログには、例えば、号数、年月日、分野（生鮮食品、加工食品等）も記載されている。そして、各商品が掲載されている領域には、例えば、商品の写真、商品名、商品コード、値段、グラム、商品の調理紹介等が印刷されている。
【０００５】
一方、注文用紙には、例えば、号数、配達日、提出日、会員番号、氏名等が記載されているとともに、商品コード、商品名、価格等からなる注文領域に数量を記載（マーク）するようになされている。
【０００６】
会員は、カタログを見て、翌週に必要な商品を選び、注文用紙上の、選んだ商品コードが記載されたマーク欄を検索し、数量をペンで記載（マーク）する。そして、生協の担当者がトラックで今週の注文品を運んで来た際に、会員は、翌週分の注文内容が記載された注文用紙を渡している。
【０００７】
生協の担当者は、回収した注文用紙を１枚毎に、ＯＣＲ（Optical
Character Reader）装置に読み込ませる。生協のサーバは、読み込んだ注文情報を電子データに変換してデータベース化した後、翌週分の注文リストを作成し、商品管理センタに発注している。
【０００８】
近年では、インターネットの普及に伴い、商品提供先から利用端末に商品情報を提供し、利用者が、希望の商品を利用端末で選択するシステムもある。
【０００９】
例えば、特許文献１には、注文センターと携帯電話機とをインターネットに接続させ、かつ、注文センターを、通信回線を介して配送センターと接続させることによりインターネットショッピングを実現する技術が開示されている。
【００１０】
そして、商品名、価格、商品画像から構成された商品情報に注文コードを記載したカタログを利用者に配布して、利用者は、携帯電話機に商品コード、利用者ＩＤ、個数等を入力してインターネットを介して注文センターに注文している。
【先行技術文献】
【特許文献】
【００１１】
【特許文献１】特開２００２−２７９３０１号公報
【発明の概要】
【発明が解決しようとする課題】
【００１２】
生協等の組織は、全国規模であり、市区町毎に、数店舗が存在しているため、従来のシステムでは、ＯＣＲ装置だけでも相当の台数が必要となり、システム全体がコスト高になる課題があった。
【００１３】
生協の担当者は、膨大な枚数の注文用紙をＯＣＲ装置に読み取らせる作業だけでもかなりの作業負荷になる課題があった。
【００１４】
また、会員にとっても、カタログの商品コードと注文用紙の商品コードとを見比べながら、所定の注文領域に記載しなければならず、注文作業が煩雑になり、誤記入の恐れもある課題があった。
【００１５】
特許文献１の技術では、注文コードを携帯電話機に入力する方式であるがゆえ、注文コードを誤入力してしまう課題があった。
【００１６】
本発明は、前述した問題点に鑑みてなされたもので、その目的とすることは、携帯端末を用いて注文情報を簡便に作成することが可能な注文情報作成装置などを提供することである。
【課題を解決するための手段】
【００１７】
前述した目的を達成するための第１の発明は、カタログ紙面上を撮影する撮影手段と、前記撮影手段により撮影された画像の表示を制御する第１の表示制御手段と、前記第１の表示制御手段により表示された撮影画像中における識別コードの位置を認識する位置認識手段と、前記認識手段により前記識別コードの位置を認識したことを示す情報の表示を制御する第２の表示制御手段と、前記識別コードの位置を認識したことを示す情報が選択された場合、前記識別コードを文字認識する文字認識手段と、前記文字認識手段により認識された前記識別コードを記憶する記憶手段と、を具備することを特徴とする注文情報作成装置である。
第１の発明によって、携帯端末を用いて注文情報を簡便に作成することが可能となる。
【００１８】
第１の発明は、前記記憶手段に前記識別コードが記憶された場合、記憶されたことを示すメッセージの表示を制御する第３の表示制御手段をさらに具備することが望ましい。
これによって、利用者は、注文した商品を買い物かごテーブルに入れたことを確認することができる。
【００１９】
第２の発明は、カタログ紙面上を撮影する撮影ステップと、前記撮影手段により撮影された画像の表示を制御する第１の表示制御ステップと、前記第１の表示制御ステップにより表示された撮影画像中における識別コードの位置を認識する位置認識ステップと、前記認識ステップにより前記識別コードの位置を認識したことを示す情報の表示を制御する第２の表示制御ステップと、前記識別コードの位置を認識したことを示す情報が選択された場合、前記識別コードを文字認識する文字認識ステップと、前記文字認識ステップにより認識された前記識別コードを記憶する記憶ステップと、を含むことを特徴とする注文情報作成方法である。
第２の発明によって、携帯端末を用いて注文情報を簡便に作成することが可能となる。
【００２０】
第３の発明は、コンピュータを、カタログ紙面上を撮影する撮影手段と、前記撮影手段により撮影された画像の表示を制御する第１の表示制御手段と、前記第１の表示制御手段により表示された撮影画像中における識別コードの位置を認識する位置認識手段と、前記認識手段により前記識別コードの位置を認識したことを示す情報の表示を制御する第２の表示制御手段と、前記識別コードの位置を認識したことを示す情報が選択された場合、前記識別コードを文字認識する文字認識手段と、前記文字認識手段により認識された前記識別コードを記憶する記憶手段と、を具備する注文情報作成装置として機能させるプログラムである。
第３の発明のプログラムを汎用のコンピュータにインストールすることによって、第１の発明の注文情報作成装置を得ることができる。
【００２１】
第４の発明は、携帯端末とサーバがネットワークを介して接続される注文情報作成システムであって、前記携帯端末が、カタログ紙面上を撮影する撮影手段と、前記撮影手段により撮影された画像の表示を制御する第１の表示制御手段と、前記第１の表示制御手段により表示された撮影画像中における識別コードの位置を認識する位置認識手段と、前記認識手段により前記識別コードの位置を認識したことを示す情報の表示を制御する第２の表示制御手段と、前記識別コードの位置を認識したことを示す情報が選択された場合、前記識別コードを文字認識する文字認識手段と、前記文字認識手段により認識された前記識別コードを、ネットワークを介して前記サーバに送信する送信手段と、を具備し、前記サーバが、前記携帯端末から送信されてきた前記識別コードを記憶する記憶手段と、を具備することを特徴とする注文情報作成システムである。
第４の発明によって、携帯端末を用いて注文した注文情報をサーバ側で簡便に作成することが可能となる。
【００２２】
第５の発明は、携帯端末とサーバがネットワークを介して接続される注文情報作成システムで行われる注文情報作成方法であって、前記携帯端末が、カタログ紙面上を撮影する撮影ステップと、前記撮影ステップにより撮影された画像の表示を制御する第１の表示制御ステップと、前記第１の表示制御ステップにより表示された撮影画像中における識別コードの位置を認識する位置認識ステップと、前記認識ステップにより前記識別コードの位置を認識したことを示す情報の表示を制御する第２の表示制御ステップと、前記識別コードの位置を認識したことを示す情報が選択された場合、前記識別コードを文字認識する文字認識ステップと、前記文字認識ステップにより認識された前記識別コードを、ネットワークを介して前記サーバに送信する送信ステップと、を含み、前記サーバが、前記携帯端末から送信されてきた前記識別コードを記憶する記憶ステップと、を含むことを特徴とする注文情報作成方法である。
第５の発明によって、携帯端末を用いて注文した注文情報をサーバ側で簡便に作成することが可能となる。
【発明の効果】
【００２３】
本発明により、携帯端末を用いて注文情報を簡便に作成することが可能な注文情報作成装置などを提供することができる。
【図面の簡単な説明】
【００２４】
【図１】本発明の実施の形態に係る注文情報作成システムの構成例を示す図である。
【図２】カタログ紙面上における撮影方法を説明するための図である。
【図３】サーバの構成例を示す図である。
【図４】サーバの記憶部に記憶されるデータベースを示す図である。
【図５】商品情報データベースに記憶される情報の一例を示している。
【図６】利用者情報データベースに記憶される情報の一例を示している。
【図７】携帯端末の構成例を示す図である。
【図８】携帯端末の記憶部に記憶されるデータテーブルを示す図である。
【図９】買い物かごテーブルに記憶される情報の一例を示している。
【図１０】第１の実施の形態における注文情報作成処理を説明するフローチャートである。
【図１１】図１０のステップＳ４の処理による撮影画像の表示例を示している。
【図１２】図１０のステップＳ６の処理による認識マークの表示例を示している。
【図１３】図１０のステップＳ１０の処理によるメッセージの表示例を示している。
【図１４】第２の実施の形態における注文情報作成処理を説明するフローチャートである。
【図１５】図１４のステップＳ３１の処理によるメッセージの表示例を示している。
【発明を実施するための形態】
【００２５】
以下、図面に基づいて、本発明の実施形態を詳細に説明する。
【００２６】
［本発明の第１の実施の形態］
（注文情報作成システムの構成）
図１は、本発明の実施の形態に係る注文情報作成システム１の構成例を示す図である。なお、サーバ２および携帯端末３の数は、任意であり、それぞれ複数設けることも勿論可能である。
【００２７】
図１に示すように、注文情報作成システム１は、サーバ２と携帯端末３とがネットワーク４を介して接続されることで構成されている。ネットワーク４は、ＬＡＮ（Local  Area  Network）、インターネット等である。
【００２８】
サーバ２は、例えば、ＣＰＵ（Central  Processing  Unit）、ＲＯＭ（Read  Only  Memory）、ＲＡＭ（Random  Access  Memory）、ＨＤＤ（Hard  Disk  Drive）等を有するコンピュータであり、商品情報や利用者情報等をデータベースで管理している。サーバ２は、携帯端末３から注文情報を受信すると、その注文情報に基づいて、図示せぬ商品管理センタに商品を発注する。
【００２９】
携帯端末３は、ＣＰＵ、ＲＯＭ、ＲＡＭ、入力部、表示画面、およびデジタルスチルカメラなどを実装した携帯型コンピュータであって、例えば、スマートフォン、ｉＰｈｏｎｅ（登録商標）、カメラ付き携帯電話機、ｉＰａｄ（登録商標）等である。
【００３０】
例えば、携帯端末３は、利用者の操作に応じて、図２に示すカタログ紙面Ｐ上の所定の商品情報が掲載された領域Ｗを撮影し、撮影画像を表示部３１に表示させる。次に、携帯端末３は、撮影画像中における識別コード（図２の例では、「００１４」と「００１６」）の位置を認識し、撮影画像上に、識別コードの位置を認識したことを示す情報（認識マーク）Ａ１、Ａ２を表示させる。携帯端末３は、利用者により、所定の認識マークＡ１または認識マークＡ２が選択されると、その認識マーク内の識別コードをＯＣＲ処理し、識別コードが持つ商品ＩＤを認識し、注文情報として記憶する。そして、携帯端末３は、利用者によって注文が確定されると、記憶している注文情報を、ネットワーク４を介してサーバ２に送信する。
【００３１】
本実施の形態において、識別コードとは、商品を一意に識別するための商品コードであり、数桁の文字列からなる。
【００３２】
（各端末の構成）
図３は、サーバ２の構成例を示す図である。尚、図２の構成はあくまで一例であり、用途、目的に応じて様々な構成を採ることが可能である。
【００３３】
サーバ２を実現するコンピュータは、制御部１１、記憶部１２、メディア入出力部１３、通信制御部１４、入力部１５、表示部１６、周辺機器Ｉ／Ｆ（インターフェース）部１７等が、バス１８を介して接続される。
【００３４】
制御部１１は、ＣＰＵ、ＲＯＭ、ＲＡＭ等で構成される。
【００３５】
ＣＰＵは、記憶部１２、ＲＯＭ、記録媒体等に格納されるプログラムをＲＡＭ上のワークメモリ領域に呼び出して実行し、バス１８を介して接続された各部を駆動制御し、サーバ２が行う後述する処理を実現する。ＲＯＭは、不揮発性メモリであり、コンピュータのブートプログラムやＢＩＯＳ（Basic Input/Output System）等のプログラム、データ等を恒久的に保持している。ＲＡＭは、揮発性メモリであり、記憶部１２、ＲＯＭ、記録媒体等からロードしたプログラム、データ等を一時的に保持するとともに、制御部１１が各種処理を行う為に使用するワークエリアを備える。
【００３６】
記憶部１２は、ＨＤＤ（ハードディスクドライブ）であり、制御部１１が実行するプログラム、プログラム実行に必要なデータ、ＯＳ（オペレーティングシステム）等が格納される。プログラムに関しては、ＯＳに相当する制御プログラムや、後述する処理をコンピュータに実行させるためのアプリケーションプログラムが格納されている。これらの各プログラムコードは、制御部１１により必要に応じて読み出されてＲＡＭに移され、ＣＰＵに読み出されて各種の手段として実行される。
【００３７】
メディア入出力部１３（ドライブ装置）は、データの入出力を行い、例えば、ＣＤドライブ（−ＲＯＭ、−Ｒ、−ＲＷ等）、ＤＶＤドライブ（−ＲＯＭ、−Ｒ、−ＲＷ等）等のメディア入出力装置を有する。通信制御部１４は、通信制御装置、通信ポート等を有し、コンピュータとネットワーク４間の通信を媒介する通信インターフェースであり、ネットワーク４を介して、他のコンピュータ間との通信制御を行う。ネットワーク４は、有線、無線を問わない。
【００３８】
入力部１５は、データの入力を行い、例えば、キーボード、マウス等のポインティングデバイス、テンキー等の入力装置を有する。入力部１５を介して、コンピュータに対して、操作指示、動作指示、データ入力等を行うことができる。表示部１６は、ＣＲＴモニタ、液晶パネル等のディスプレイ装置、ディスプレイ装置と連携してコンピュータのビデオ機能を実現するための論理回路等（ビデオアダプタ等）を有する。
【００３９】
周辺機器Ｉ／Ｆ（インターフェース）部１７は、コンピュータに周辺機器を接続させるためのポートであり、周辺機器Ｉ／Ｆ部１７を介してコンピュータは周辺機器とのデータの送受信を行う。周辺機器Ｉ／Ｆ部１７は、ＵＳＢ（niversal Serial Bus）やＩＥＥＥ（The Institute of Electrical
and Electronics Engineers）１３９４やＲＳ−２３２Ｃ等で構成されており、通常複数の周辺機器Ｉ／Ｆを有する。周辺機器との接続形態は有線、無線を問わない。バス１８は、各装置間の制御信号、データ信号等の授受を媒介する経路である。
【００４０】
図４は、サーバ２の記憶部１２に記憶されるデータベースの一例を示す図である。図４に示すように、サーバ２の記憶部１２は、少なくとも、商品情報データベース（ＤＢ）２１、および利用者情報データベース（ＤＢ）２２を記憶している。
【００４１】
商品情報データベース２１は、図５に示すように、少なくとも、商品ＩＤ２１Ａ、商品名２１Ｂ、価格２１Ｃ、産地２１Ｄ、アレルギー情報２１Ｅ、カタログ名２１Ｆ、掲載期間２１Ｇを、商品毎に記憶する。商品ＩＤ２１Ａは、商品を一意に識別するための情報を示し、商品名２１Ｂは、商品の名称を示し、価格２１Ｃは、その商品の価格を示し、産地２１Ｄは、その商品の産地を示し、アレルギー情報２１Ｅは、その商品に含まれるアレルギー情報を示し、カタログ名２１Ｆは、その商品が掲載されるカタログ名を示し、掲載期間２１Ｇは、その商品がカタログに掲載される期間を示している。
【００４２】
利用者情報データベース２２は、図６に示すように、少なくとも、会員ＩＤ２２Ａ、パスワード２２Ｂ、および決済情報２２Ｃを、利用者毎に記憶する。会員ＩＤ２２Ａは、会員を一意に識別するための情報を示し、パスワード２２Ｂは、その会員がサーバ２にアクセスするための認証用の文字列を示し、決済情報２２Ｃは、その会員が商品を購入し、決済する際に必要なカード情報等を示している。
【００４３】
図７は、携帯端末５の構成例を示す図である。尚、図７の構成は、あくまで一例であり、用途、目的に応じて様々な構成を採ることが可能である。
【００４４】
携帯端末５は、表示部３１、制御部３２、記憶部３３、通信制御部３４、入力部３５、撮影部３６などが、バス３７を介して接続される。
【００４５】
制御部３２は、ＣＰＵ、ＲＯＭ、ＲＡＭ等で構成される。制御部３２は、記憶部３３に記憶されたプログラムに基づいて所定の処理を行い、通話機能、ブラウザ機能、およびメール機能などを実現する。また制御部３２は、撮影部３６で撮影された画像から識別コードの位置を認識し、識別コードの位置を認識したことを示す情報（認識マーク）を表示部３１に表示させる。
【００４６】
さらに制御部３２は、表示されている撮影画像中において、所定の認識マークが選択されると、その認識マーク内の識別コードをＯＣＲ処理し、識別コードが持つ商品ＩＤを記憶部３３に記憶させる。制御部３２は、記憶部３３に記憶された商品ＩＤを、ネットワーク４を介してサーバに送信する。
【００４７】
記憶部３３は、制御部３２が実行するプログラム、プログラム実行に必要なデータ、ＯＳ等を格納するとともに、制御部３２でＯＣＲ処理され認識された商品ＩＤを注文情報として記憶する。
【００４８】
通信制御部３４は、通信制御装置、通信ポート等を有し、携帯端末３とネットワーク４間の通信を媒介する通信インターフェースであり、ネットワーク４を介して、他のコンピュータ又は他の携帯端末との音声通信やデータ通信の制御を行う。
【００４９】
入力部３５は、ボタンやタッチパネルなどで構成され、操作指示、動作指示、データ入力等を行う。表示部３１は、液晶パネル等のディスプレイ装置であり、制御部３２から供給される情報を表示する。入力部３５および表示部３１は、タッチパネルディスプレイのように、一体となっていても良い。撮影部３６は、デジタルスチルカメラ等からなり、制御部３２の制御の下、カタログ紙面Ｐ（図２）上の所定領域（図２の例では、領域Ｗ）を撮影する。
【００５０】
図８は、携帯端末３の記憶部３３に記憶されるデータテーブルを示す図である。図８に示すように、携帯端末３の記憶部３３は、少なくとも、買い物かごテーブル４１を記憶している。
【００５１】
買い物かごテーブル４１は、図９に示すように、少なくとも、商品ＩＤ４１Ａ、個数４１Ｂを、商品毎に記憶する。商品ＩＤ４１Ａは、購入希望商品を一意に識別するための情報を示し、個数４１Ｂは、その商品の購入希望個数を示している。
【００５２】
（第１の実施の形態の注文情報作成処理）
図１０は、第１の実施の形態における注文情報作成システム１が実行する、携帯端末３で注文情報を作成し、作成した注文情報をサーバ２に送信する処理を説明するフローチャートである。図１０の説明に当たり、図１１〜図１３を参照し、具体的な処理内容も説明する。
【００５３】
まず、利用者は、携帯端末３を操作し、「カタログ注文」の開始を指示する。この指示を受けた携帯端末３の制御部３２は、表示部３１に、図示せぬ利用者認証画面を表示させ、ユーザＩＤおよびパスワードの入力を受け付ける。利用者によってユーザＩＤおよびパスワードが入力されると、ステップＳ１において、携帯端末３の制御部３２は、予め記憶部３３に記憶しているユーザ情報に基づいてユーザ認証を行う。
【００５４】
携帯端末３の制御部３２は、ユーザ認証に成功すると、表示部３１に、図示せぬカタログ一覧画面を表示させ、所定のカタログの選択を受け付ける。ステップＳ２において、携帯端末３の制御部３２は、利用者によって所定のカタログが選択されたことを検知すると、撮影モードに遷移する。
【００５５】
ステップＳ３において、携帯端末３の制御部３２は、利用者による撮影指示を検知したか否かを判定し、撮影指示を検知するまで待機する。例えば、利用者は、カタログ紙面Ｐ（図２）上において、注文したい商品があった場合、その注文したい商品を含む領域Ｗの撮影を指示する。
【００５６】
ステップＳ３において、携帯端末３の制御部３２は、撮影指示を検知したと判定すると、ステップＳ４に進み、撮影部３６の撮影処理を制御する。これによって、例えば、図１１に示すような撮影画像が得られる。図１１の撮影画像には、「商品Ｅ」と「商品Ｇ」の商品情報が含まれている。
【００５７】
ステップＳ５において、携帯端末３の制御部３２は、撮影部３６で撮影された撮影画像上で、識別コードの位置を認識する。識別コードの表記方法は、一般に、視認性の高いものとして、黒領域内に数桁の文字列が白抜き表記されているものが多い。そこで、本実施の形態では、識別コードの位置を認識する方法として、例えば、撮影画像中の所定サイズの黒領域を識別コードの位置として認識する。
【００５８】
図１１の例では、識別コードの位置として、「００１４」と「００１６」の文字列を含む黒領域（本実施の形態では、網掛け領域として図示する）が認識される。
【００５９】
ステップＳ６において、携帯端末３の制御部３２は、ステップＳ５の処理で認識した識別コードの位置に、識別コードの位置を認識したことを示す情報（認識マーク）を表示させる。これによって、例えば、図１２に示すように、「００１４」の識別コードの位置に、認識マークＡ１１が表示され、「００１６」の識別コードの位置に、認識マークＡ１２が表示される。
【００６０】
利用者は、注文したい商品の識別コード上に表示されている認識マークＡ１１または認識マークＡ１２を選択（押下）する。ステップＳ７において、携帯端末３の制御部３２は、利用者による認識マークの選択を検知したか否かを判定し、認識マークの選択を検知したと判定した場合、ステップＳ８に進む。ステップＳ８において、携帯端末３の制御部３２は、認識マーク内の識別コードをＯＣＲ処理し、文字認識する。
【００６１】
ステップＳ９において、携帯端末３の制御部３２は、ステップＳ８の処理による認識結果で得た識別コードが持つ商品ＩＤを認識し、記憶部３３の買い物かごテーブル４１（図８）に記憶させる。ステップＳ１０において、携帯端末３の制御部３２は、ステップＳ９の処理により商品ＩＤを記憶部３３の買い物かごテーブル４１に記憶したことを示すメッセージを表示させる。例えば、利用者は、図１２において、認識マークＡ１２を選択すると、携帯端末３の制御部３２は、図１３に示すように、「買い物かごに入れました」といったメッセージＭ１を認識マークＡ１２の近傍に表示させる。
【００６２】
ステップＳ７において、携帯端末３の制御部３２は、認識マークの選択を検知していないと判定した場合、ステップＳ１２に進み、利用者による撮影指示を検知したか否かを判定し、撮影指示を検知していないと判定した場合、ステップＳ１１に進む。
【００６３】
ステップＳ１１において、携帯端末３の制御部３２は、利用者による注文確定の指示を検知したか否かを判定し、注文確定の指示を検知していないと判定した場合、ステップＳ７に戻り、上述した処理を繰り返し実行する。
【００６４】
ステップＳ１２において、利用者による撮影指示を検知したと判定した場合、ステップＳ４に戻り、上述した処理を繰り返し実行する。つまり、利用者は、撮影処理、認識マーク表示処理、選択された認識マーク内の識別コードのＯＣＲ処理、識別コードが持つ商品ＩＤの記憶処理を繰り返し行わせることで、注文情報を買い物かごテーブル４１に記憶させ、最終的に注文確定を指示する。
【００６５】
ステップＳ１１において、携帯端末３の制御部３２は、注文確定の指示を検知したと判定した場合、ステップＳ１３に進み、記憶部３３に記憶された決済情報に基づいて決済処理を行わせる。ステップＳ１４において、携帯端末３の制御部３２は、ステップＳ１１の決済処理の結果に基づいて、決済情報を、記憶部３３の買い物かごテーブル４１に記憶された注文情報（１または複数の商品ＩＤ）とともに、ネットワーク４を介してサーバ２に送信する。
【００６６】
ステップＳ１５において、サーバ２は、ネットワーク４を介して携帯端末３から送信されていた注文情報に基づいて、メーカに発注処理を行う。
【００６７】
以上においては、注文個数の指定について特に言及しなかったが、例えば、認識マークを複数回選択することで注文個数を指定するようにしてもよいし、図示せぬ注文確定画面で注文個数を変更できるようにしてもよい。
【００６８】
［本発明の第１の実施の形態における効果］
１．以上のように、カタログ紙面上において注文したい商品を含む領域を撮影し、撮影画像上における識別コードの位置を認識し、その位置に認識マークを表示し、認識マークが選択されると、その認識マーク内の識別コードをＯＣＲ処理して商品ＩＤを認識し、買い物かご（記憶部３３）に入れることで、注文コードの入力を不要とし、簡便に注文情報を作成することが可能となる。
２．注文用紙を必要としないため、注文用紙を読み取るためのＯＣＲ装置も不要となり、システム全体の低コスト化を実現することが可能である。
３．注文用紙の読み取り作業をなくし、作業負荷を軽減することが可能となる。
４．利用者にとっても、カタログの商品コードと注文用紙とを見比べる必要がなくなり、注文作業をスムーズに行うことができるだけでなく、誤入力を防ぐことが可能となる。
【００６９】
［本発明の第２の実施の形態］
次に、本発明の第２の実施の形態について説明する。
【００７０】
第２の実施の形態において、基本的なシステム構成（図１）、サーバ２の構成（図３）、および携帯端末３の構成（図７）は、第１の実施の形態と同様である。第１の実施の形態では、利用者により認識マークが選択される毎に、携帯端末３の記憶部３３の買い物かごテーブル４１（図８）に商品ＩＤを記憶させ、注文情報を作成するようにしたが、第２の実施の形態では、認識マークが選択される毎に、サーバ２に商品ＩＤを送信し、サーバ２側で注文情報を作成することを特徴とするものである。従って、携帯端末３の記憶部３３に記憶されていた買い物かごテーブル（図８）は、サーバ２の記憶部１２に記憶される。
【００７１】
（第２の実施の形態の注文情報作成処理）
図１４は、第２の実施の形態における注文情報作成システム１が実行する、携帯端末３で指示した注文情報をサーバ２に送信し、サーバ２で注文情報を作成する処理を説明するフローチャートである。なお、ステップＳ２１〜ステップＳ２８までの処理は、上述した第１の実施の形態における処理のステップＳ１〜ステップＳ８の処理と同様であるため、その説明は省略する。
【００７２】
ステップＳ２９において、携帯端末３の制御部３２は、ステップＳ８の処理による認識結果で得た識別コードが持つ商品ＩＤを認識し、ネットワーク４を介してサーバ２に送信する。ステップＳ３０において、サーバ２の制御部１１は、ネットワーク４を介して携帯端末３から受信した商品ＩＤを、記憶部１２の買い物かごテーブル４１（図８）に記憶させる。また、必要に応じて、サーバ２の制御部１１は、記憶部１２に記憶されている商品情報データベース２１から商品情報を読み出し、ネットワーク４を介して携帯端末２に送信する。
【００７３】
ステップＳ３１において、携帯端末３の制御部３２は、サーバ２から受信した商品情報とともに、ステップＳ３０の処理により商品ＩＤがサーバ２に記憶されたことを示すメッセージを表示させる。例えば、図１５に示すように、「「商品Ｇ」を買い物かごに入れました」といったメッセージＭ１１を認識マークＡ１２の近傍に表示させる。
【００７４】
ステップＳ３２〜ステップＳ３４の処理は、上述した第１の実施の形態における処理のステップＳ１１〜ステップＳ１３の処理と同様であるため、その説明は省略する。
【００７５】
ステップＳ３５において、携帯端末３の制御部３２は、ステップＳ３４の決済処理の結果に基づいて、決済情報を、ネットワーク４を介してサーバ２に送信する。ステップＳ３６において、サーバ２の制御部１１は、記憶部１２の買い物かごテーブル４１に記憶されている注文情報に基づいて、メーカに発注処理を行う。
【００７６】
［本発明の第２の実施の形態における効果］
１．以上のように、カタログ紙面上において注文したい商品を含む領域を撮影し、撮影画像上における識別コードの位置を認識し、その位置に認識マークを表示し、認識マークが選択されると、その認識マーク内の識別コードをＯＣＲ処理して商品ＩＤを認識し、その商品ＩＤをサーバ２に送信し、サーバ２側の買い物かご（記憶部１２）に商品ＩＤを入れることで、注文コードの入力を不要とし、簡便に注文情報を作成することが可能となる。
２．認識マークが選択される毎にサーバ２にアクセスするため、その都度、サーバ２から商品情報を得ることができ、携帯端末３に、商品情報も表示することが可能となる。
【００７７】
以上、添付図面を参照しながら、本発明に係る注文情報作成システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００７８】
１………注文情報作成システム
２………サーバ
３………端末
４………ネットワーク
１１………制御部
１２………記憶部
３１………表示部
３２………制御部
３６………撮影部
【図１】
2014056504.tif 000003
【図２】
2014056504.tif 000004
【図３】
2014056504.tif 000005
【図４】
2014056504.tif 000006
【図５】
2014056504.tif 000007
【図６】
2014056504.tif 000008
【図７】
2014056504.tif 000009
【図８】
2014056504.tif 000010
【図９】
2014056504.tif 000011
【図１０】
2014056504.tif 000012
【図１１】
2014056504.tif 000013
【図１２】
2014056504.tif 000014
【図１３】
2014056504.tif 000015
【図１４】
2014056504.tif 000016
【図１５】
2014056504.tif 000017